(57)【要約】【課題】医療機器用電極および医療用処置具において、簡素な構成であっても生体組織の貼り付きや固着による処置性能の劣化を抑制することができるようにする。【解決手段】高周波ナイフ１０の電極部１として、被処置体に当接させて高周波電圧を印加することによって被処置体を処置するための電極部１であって、被処置体に当接させるための電極表面の表面粗さが、算術平均粗さＲａで、０．４μｍ以上２μｍ以下であるものを用いる。【選択図】図１
2010284439.tif 000002
【特許請求の範囲】
【請求項１】
被処置体に当接させて高周波電圧を印加することによって前記被処置体を処置するための医療機器用電極であって、
前記被処置体に当接させるための電極表面の表面粗さが、算術平均粗さＲａで、０．４μｍ以上２μｍ以下であることを特徴とする医療機器用電極。
【請求項２】
前記電極表面は、
ブラスト処理された電極本体の表面に、該電極本体よりも高硬度の材料による保護膜が成膜されてなることを特徴とする請求項１に記載の医療機器用電極。
【請求項３】
前記電極本体は、ステンレス鋼からなり、
前記保護膜は、クロム（Ｃｒ）、ＤＬＣ（ダイヤモンドライクカーボン）、窒化クロム（ＣｒＮ）、窒化チタン（ＴｉＮ）、窒化チタンアルミニウム（ＴｉＡｌＮ）、および炭窒化チタン（ＴｉＣＮ）のうちの１種類以上を含むことを特徴とする請求項２に記載の医療機器用電極。
【請求項４】
請求項１〜３のいずれかに記載の医療機器用電極を備える医療用処置具。
【発明の詳細な説明】
【技術分野】
【０００１】
本発明は、医療機器用電極および医療用処置具に関する。
【背景技術】
【０００２】
従来、医療用処置具として、被処置体である生体組織に高周波電圧を印加することで、例えば、生体組織を切開したり、凝固させたり、焼灼したりする高周波処置具が知られている。
例えば、特許文献１には、手元側からの遠隔操作によって嘴状に開閉自在にシースの先端に設けられた一対の嘴状電極（医療機器用電極）のうち、一方が高周波電源の正極に接続され他方が負極に接続された内視鏡用バイポーラ型高周波切開具（医療用処置具）であって、一対の嘴状電極の対向面が各々略直線状に形成されているものが知られている。
このような高周波処置具では、被処置体である生体組織に当接させる平滑面を有する電極に高周波電圧を印加し、電極表面の近傍の生体組織のみをジュール熱で急峻に加熱することで生体組織の切開、凝固、焼灼などを行っている。このため、生体組織の凝固片や炭化物などが電極表面に貼り付いたり固着したりしやすくなっている。
このような貼り付きや固着を低減する技術として、電極表面に生体組織の固着を低減するコート層を設ける技術が種々提案されている。
例えば、特許文献２には、一対のアームの先端チップ部（医療機器用電極）の対向面上に、貴金属材料と非伝導性微粒子からなる複合メッキ皮膜と、この複合メッキ皮膜上に貴金属材料からなる積層メッキ皮膜を備えたバイポーラピンセット（医療用処置具）が記載されている。
特許文献２では、貴金属材料と非伝導性微粒子からなる複合メッキ皮膜を設け、さらに非伝導性微粒子を保護し粗面性を安定させるために複合メッキ皮膜上に貴金属材料による積層メッキ皮膜を設け、これらの構成により電極表面に生体組織との接地面積を小さくする粗面性を付与している。
【先行技術文献】
【特許文献】
【０００３】
【特許文献１】特開２００３−２９９６６７号公報
【特許文献２】特開２００６−２８８４２５号公報
【発明の概要】
【発明が解決しようとする課題】
【０００４】
しかしながら、上記のような従来の医療機器用電極および医療用処置具には、以下のような問題があった。
特許文献１に記載の技術では、電極表面を直線状としているだけで、特には生体組織の貼り付きや固着を防止する構成を備えていないため、処置を繰り返すことで電極表面に生体組織が貼り付いたり固着したりして、電極のインピーダンスや放電特性が変化し、例えば切れ味や凝固性能などの処置性能が劣化するという問題がある。
また、特許文献２によれば、従来のステンレス製のバイポーラピンセットでは、電極表面の表面粗さＲａが０．１５μｍから０．３０μｍまでの範囲であり、金メッキを施した超平滑化表面を有するバイポーラピンセットでは、電極表面の表面粗さＲａが０．０３μｍから０．０５μｍまでの範囲である。一般に後者のように平滑性が高い方が蛋白質付着性は低くなるが、上記のようなメッキ皮膜を表面に備えると、「焦げ付きの大きいステンレス製バイポーラピンセットと同程度の面粗さＲａが０．１０μｍから０．３０μｍまでの範囲を有しているものの、蛋白質付着性を格段に小さくすることが可能である」としている。
しかしながら、特許文献２の粗面化技術では、貴金属材料に非伝導性微粒子を混合して適切な面粗さを有する複合メッキ皮膜を形成するため、製造工程が複雑化するという問題がある。
また、特許文献２では、使用時に非伝導性微粒子が表面から脱落しないように、貴金属材料による積層メッキ皮膜を設けて、非伝導性微粒子を保護することが必要になる。一般に、非伝導性微粒子を安定させるには積層メッキ皮膜の膜厚を厚くしなければならず、積層メッキ皮膜形成後の粗面性を保つには、積層メッキ皮膜の膜厚が薄い方がよいため、これらを両立させるには、非伝導性微粒子の粒径や必要な面粗さの大きさなどに応じて、積層メッキ皮膜の膜厚を好適な範囲内に制御しなければならない。このため、製造に手間がかかるという問題がある。
【０００５】
本発明は、上記のような問題に鑑みてなされたものであり、生体組織の貼り付きや固着による処置性能の劣化を抑制することができる簡素な構成の医療機器用電極および医療用処置具を提供することを目的とする。
【課題を解決するための手段】
【０００６】
上記の課題を解決するために、本発明の医療機器用電極は、被処置体に当接させて高周波電圧を印加することによって前記被処置体を処置するための医療機器用電極であって、前記被処置体に当接させるための電極表面の表面粗さが、算術平均粗さＲａで、０．４μｍ以上２μｍ以下である構成とする。
この発明によれば、電極表面の表面粗さを算術平均粗さＲａで、０．４μｍ以上２μｍ以下とするので、製造容易な粗面の範囲でありながら、電極表面に生体組織が貼り付いたり固着したりしにくくなる。
電極表面の表面粗さがＲａで０．４μｍより小さいと、処置時に、生体組織と電極表面との密着性が高すぎる状態で高周波電圧が印加されるため、生体組織が電極との当接面に沿って層状の範囲で略均等に加熱される。
これにより、凝固された生体組織と電極表面の密着性が高くなりすぎるため、電極を生体組織から引きはがす際に、凝固された層状の生体組織と、加熱の及びにくい生体組織の領域との境界面で剥離が起こり、凝固された層状の生体組織が電極側に貼り付いてしまう。
電極表面の表面粗さがＲａで２μｍより大きいと、処置時に生体組織と電極表面との密着性が低すぎる状態で高周波電圧が印加されるため、生体組織が電極表面の凸部と点状に接触し、真実接触面積が小さい範囲に高周波電流が流れる。このため、接触位置近傍で急峻な加熱が進行し、生体組織の表面に炭化領域が形成される。
これにより、電極を生体組織から引きはがす際に、炭化領域を破壊しながら引きはがすこととなり、炭化領域の一部が電極側に固着して残ってしまう。
【０００７】
また、本発明の医療機器用電極では、前記電極表面は、ブラスト処理された電極本体の表面に、該電極本体よりも高硬度の材料による保護膜が成膜されてなることが好ましい。
この場合、電極本体が低硬度であってもよいため、電極表面を粗面化することが容易となり、このように粗面化された電極表面に高硬度の材料の薄膜を成膜することで、耐久性に優れた電極が得られる。すなわち、使用を繰り返してもブラスト処理された表面粗さを維持し、表面粗さの変化による処置性能の劣化を防止することができる。
【０００８】
また、本発明の医療機器用電極では、ステンレス鋼からなり、前記保護膜は、クロム（Ｃｒ）、ＤＬＣ（ダイヤモンドライクカーボン）、窒化クロム（ＣｒＮ）、窒化チタン（ＴｉＮ）、窒化チタンアルミニウム（ＴｉＡｌＮ）、および炭窒化チタン（ＴｉＣＮ）のうちの１種類以上を含むことが好ましい。
【０００９】
本発明の医療用処置具は、本発明の医療機器用電極を備える構成とする。
この発明によれば、本発明の医療機器用電極を備えるので、本発明の医療機器用電極と同様の作用を備える。
【発明の効果】
【００１０】
本発明の医療機器用電極および医療用処置具によれば、電極表面の表面粗さをＲａで、０．４μｍ以上２μｍ以下とするので、簡素な構成であっても、生体組織の貼り付きや固着による処置性能の劣化を抑制することができるという効果を奏する。
【図面の簡単な説明】
【００１１】
【図１】本発明の実施形態に係る医療機器用電極を備える医療用処置具の概略構成を示す模式的な構成図である。
【図２】図１におけるＡ−Ａ断面図である。
【図３】本発明の実施形態に係る医療機器用電極の表面の詳細形状を模式的に示す断面図である。
【図４】医療機器用電極の表面粗さが小さすぎる場合の貼り付き・固着発生の原理について説明するための、処置時および電極離間時の様子を示す模式的な動作説明図である。
【図５】医療機器用電極の表面粗さが大きすぎる場合の貼り付き・固着発生の原理について説明するための、処置時および電極離間時の様子を示す模式的な動作説明図である。
【図６】電極の表面粗さと貼り付き評価値との関係を示す実験結果を示すグラフである。
【発明を実施するための形態】
【００１２】
以下では、本発明の実施形態について添付図面を参照して説明する。
本発明の実施形態に係る医療機器用電極および医療用処置具について説明する。
図１は、本発明の実施形態に係る医療機器用電極を備える医療用処置具の概略構成を示す模式的な構成図である。図２は、図１におけるＡ−Ａ断面図である。図３は、本発明の実施形態に係る医療機器用電極の表面の詳細形状を模式的に示す断面図である。
【００１３】
本実施形態の高周波ナイフ１０は、高周波電圧を印加することで、生体組織を被処置体として切開、切除したり、生体組織を凝固（止血）したり、焼灼したりするための医療用処置具である。高周波ナイフ１０の概略構成は、図１に示すように、術者が手で持つための棒状の把持部２と、把持部２の先端から突出された電極部１とからなる。
【００１４】
電極部１は、被処置体である生体組織に当接させて高周波電圧を印加する医療機器用電極であり、表面に微細な凹凸形状を有する金属製の電極本体１Ａと、電極本体１Ａよりも高硬度を有する材料で形成された保護膜１Ｂとからなる。
【００１５】
電極本体１Ａの形状は、突出方向の先端の角部に丸みを有する矩形片状とされ、突出方向に直交する断面では、図２に示すように、扁平な外縁部が外周側に向かって先細とされ、図示しない突出方向の先端部も外周側に向かって先細とされている。そして、把持部２に保持された基端部に接続された配線によって高周波電源３に電気的に接続されている。また、高周波電源３には、被処置体に装着する対極板６が電気的に接続されている。
保護膜１Ｂは、図３に断面の詳細を示すように、電極本体表面１ａを、電極本体表面１ａの微細な凹凸に沿って略一定の膜厚で被覆するように設けられた薄膜であり、電極部１の電極表面１ｂを構成している。
電極表面１ｂの表面粗さは、算術平均粗さＲａで、０．４μｍ以上２μｍ以下とされている。
これにより、電極部１の電極表面１ｂの外周部の一定範囲には、主として被処置体の切開、切除などの処置を行うために、断面Ｖ字状のエッジ形状を有する刃部１ｃが形成されている。
また、刃部１ｃを除く電極表面１ｂの側部には、主として被処置体を押さえて凝固や焼灼などの処置を行うため、全体として緩い湾曲形状もしくは平面形状に形成された腹部１ｄが設けられている。
刃部１ｃの表面粗さと、腹部１ｄの表面粗さとは、被処置体の処置種類による固着の起こりやすさの程度に応じて、異なる値としてもよいし、固着の起こりやすさに差がない場合には、同じ値としてもよい。
刃部１ｃおよび腹部１ｄの表面粗さは、それぞれの領域内で表面粗さが徐変され、刃部１ｃから腹部１ｄにかけて緩やかに変化する表面粗さ分布を備えていてもよい。
【００１６】
電極本体１Ａの材質としては、適宜の金属材料を採用することができる。本実施形態では、一例として、強度、耐食性に優れるステンレス鋼、例えば、ＳＵＳ３０４を採用している。
電極本体１Ａは、例えば、研磨加工によって表面が平滑な状態で外形状を形成した後、その表面をブラスト処理することによって、粗面を有する電極本体表面１ａを形成している。電極本体表面１ａの表面粗さは、保護膜１Ｂの成膜後の表面粗さがＲａで０．４μｍ以上２μｍ以下となる範囲に適宜設定することができる。
【００１７】
保護膜１Ｂの材質としては、電極本体１Ａよりも高硬度の適宜材料を採用することができる。例えば、電極本体１Ａが、ビッカース硬度Ｈｖ＝２００のＳＵＳ３０４の場合、Ｃｒ（Ｈｖ＝９００）、ＤＬＣ（Ｈｖ＝８００）、ＣｒＮ（Ｈｖ＝１６００）、ＴｉＮ（Ｈｖ＝１７００）、ＴｉＡｌＮ（Ｈｖ＝２４００）、およびＴｉＣＮ（Ｈｖ＝３０００）のうちの１種類以上を含む材料を採用することができる。
保護膜１Ｂの膜厚としては、膜形成後の電極表面１ｂの表面粗さを上記の範囲にすることができれば、必要とする表面の硬度や導電性に応じて適宜の層厚を採用することができる。
保護膜１Ｂの成膜方法としては、例えば、スパッタリングを採用することができる。この場合、例えば、１．０μｍの略一定膜厚とし、電極本体１Ａの電極本体表面１ａのＲａを略０．４μｍ以上２μｍ以下の粗面とすることにより、良好な電極表面１ｂを形成することができる。
【００１８】
このように、本実施形態では、電極本体１Ａとして相対的に低硬度な材料を用い、電極本体表面１ａを粗面化するため、表面粗さの制御が容易であり、電極本体表面１ａ上に保護膜１Ｂを設けるため、電極部１としての電極表面１ｂの硬度は、電極本体１Ａに比べて相対的に高硬度となる。そのため、打撃などの外力により電極表面１ｂが傷ついたり、打撃や経時の摩耗により表面粗さが変化したりすることを抑制することができる。
【００１９】
なお、電極本体１Ａの材質、取り扱い条件、および寿命の仕様などによって、想定される使用条件下で表面粗さを維持することができる場合には、変形例として、保護膜１Ｂを省略し、電極本体１Ａのみで電極部１を構成してもよい。この場合、電極部１の電極表面は電極本体表面１ａとなる。
【００２０】
次に、このような構成の高周波ナイフ１０の作用について説明する。
図４（ａ）、（ｂ）は、それぞれ医療機器用電極の表面粗さが小さすぎる場合の貼り付き・固着発生の原理について説明するための、処置時および電極離間時の様子を示す模式的な動作説明図である。図５（ａ）、（ｂ）は、それぞれ医療機器用電極の表面粗さが大きすぎる場合の貼り付き・固着発生の原理について説明するための、処置時および電極離間時の様子を示す模式的な動作説明図である。図６は、電極の表面粗さと貼り付き評価値との関係を示す実験結果を示すグラフである。横軸は、算術平均粗さＲａで測った表面粗さＲａ（μｍ）、縦軸は電極への生体組織の貼り付きを３段階（１、２、３）で評価した貼り付き評価値である。
【００２１】
高周波ナイフ１０は、例えば、患者に対極板６を装着した状態で、高周波電源３によって高周波ナイフ１０の電極部１に高周波電圧を印加し、術者が患者の被処置部などの被処置体に電極部１の刃部１ｃまたは腹部１ｄを接触させて用いる。
このとき、電極部１と対極板６との間に保護膜１Ｂを介して高周波電流が発生するが、電極部１と生体組織との接触部分は、対極板６の電極面積に比べて極めて小面積となるため、電極部１と生体組織との接触部では相対的に大電流が流れてジュール熱が発生する。これにより被処置体の生体組織の水分が急速に蒸発し、刃部１ｃで生体組織が破断される。このため、電極部１を移動していくことによって生体組織の切開、切除が可能となる。
また、腹部１ｄを被処置体に押し当てて高周波電流を流すと、被処置体の生体組織の水分が急速に蒸発し、腹部１ｄの近傍で生体組織が凝固される。このため、腹部１ｄにより止血や生体組織の焼灼が可能となる。
これらの処置が終了すると、電極部１を被処置体から離間させる。
【００２２】
このとき、電極表面１ｂの表面粗さがＲａで、０．４μｍより小さいか、または２μｍよりも大きいと、被処置体の一部が電極表面１ｂに貼り付いたり、固着を起こしたりして、電極部１の移動や離間に伴って被処置体の表面の生体組織が剥離されてしまう。
この原理について、図４（ａ）、（ｂ）、図５（ａ）、（ｂ）を参照して定性的に説明する。
【００２３】
電極表面１ｂの表面粗さが小さすぎると、図４（ａ）に示すように、電極部１を被処置体１１に接触させると、電極表面１ｂと被処置体１１の被処置体表面１１ａとが略隙間なく密着する。
このため、高周波電源３によって高周波電圧を印加すると、被処置体１１の被処置体表面１１ａの近傍で略均等に放電が発生していき、電極表面１ｂと被処置体表面１１ａとの接触領域で略均等なジュール熱が生じ、被処置体表面１１ａから層状の範囲に被加熱領域１１ｂが形成される。高周波電流による加熱が進むと、被処置体表面１１ａ側から徐々に水分の蒸発、固化が進み、より内奥側のため加熱が及びにくい被処置体本体１１ｃとの間の境界面Ｂが内奥側に移動して、被加熱領域１１ｂが拡大していく。
一定時間経過後に、電極部１を移動、離間させると、図４（ｂ）に示すように、電極本体表面１ａと被加熱領域１１ｂとの貼り付き強度よりも被加熱領域１１ｂと被処置体本体１１ｃとの密着強度の弱い境界面Ｂにおいて、生体組織が引きちぎられ、被加熱領域１１ｂは、電極本体表面１ａに貼り付いたまま電極部１とともに被処置体本体１１ｃから剥離される。
【００２４】
この場合、被処置体１１の表面は、処置が進んでいない被処置体本体１１ｃが露出してしまうため、被処置体１１の処置が不完全な状態になってしまう。
また、電極表面１ｂの表面に被加熱領域１１ｂとして生体組織が貼り付くので放電性能が劣化し、再使用するには電極表面１ｂの清掃が必要になる。
【００２５】
電極表面１ｂの表面粗さが大きすぎると、図５（ａ）に示すように、電極部１を被処置体１１に接触させると、電極表面１ｂと被処置体１１の被処置体表面１１ａとは、電極表面１ｂの凸部によって接触し凹部では非接触状態となっている。すなわち、真実接触面積は巨視的な接触範囲の面積に比べて格段に小さくなっている。
このような接触状態で、高周波電源３によって高周波電圧を印加すると、電極表面１ｂの凸部に集中して電流密度の高い放電が発生し、全面的に接触している場合に比べて大きな電流が流れて凸部のごく近傍にジュール熱が発生する。このため、電極表面１ｂの凸部の近傍から急速に加熱され高温化し、図５（ｂ）に示すように、被処置体表面１１ａに炭化領域１１ｄが形成される。
この現象では、電極表面１ｂの凸部と接触した生体組織しか焼灼、または凝固されないようにも思えるが、発明者の実験で確認したところ、図５（ｂ）に示すように、接触位置近傍でも炭化領域１１ｄが形成される。これは、ジュール熱が電極表面１ｂ側に伝播して温度上昇し、電極表面１ｂの近傍の被処置体表面１１ａも加熱されるためであると考えられる。
【００２６】
一定時間経過後に、電極部１を移動、離間させると、図５（ｃ）に示すように、炭化して脆くなっている炭化領域１１ｄが破砕されつつ、電極部１の移動、離間が進む。
このため、炭化領域１１ｄが厚さ方向の中間部が割れ、炭化領域１１ｄの一部が電極表面１ｂに貼り付くとともに、炭化領域１１ｄの他の部分がより内奥側の被処置体本体１１ｃ上に残存した状態で、電極部１が被処置体１１から離れていく。
【００２７】
この場合、炭化領域１１ｄの一部が電極表面１ｂに固着するので、放電性能が劣化し、再使用するには電極表面１ｂの清掃が必要になる。また、固着される炭化領域１１ｄは、凹凸の激しい電極表面１ｂに食い込むことになるので、清掃が困難になる場合もある。
また、炭化領域１１ｄを破砕しながら電極部１を被処置体１１から引き離すため、引き離し力が大きくなり、円滑な使用感が失われ、施術の効率が悪くなる。
【００２８】
このような電極表面１ｂへの被処置体１１の貼り付き、固着を抑制するとともに、引き離し力を低減して円滑な作業性が得られるようにするには、電極表面１ｂの表面粗さを適切な大きさに設定する必要がある。
以下では、電極表面１ｂの表面粗さと電極表面１ｂへの被処置体の貼り付きとの関係を調べた実験結果について説明する。
【００２９】
腹部１ｄの表面粗さＲａを、０．１μｍから７μｍまで代えた電極部１と、被処置体としてブタの肝臓とを用意して、高周波電源３として、エルボトームＩＣＣ２００（商品名；エルベ（ＥＲＢＥ）社製）に接続し、腹部１ｄを被処置体に接触させ、電力８０Ｗのソフト凝固モードによって、被処置体の焼灼を行った。
なお、本実験での電極部１は、ＳＵＳ３０４製の電極本体１Ａのみとし、保護膜１Ｂは省略している。
この実験結果は、以下の表１のようになった。これらの結果は表面粗さＲａを横軸、貼り付き評価値を縦軸にとって図６のグラフにプロットした。
【００３０】
【表１】
2010284439.tif 000003
【００３１】
ここで、貼り付き評価値は、表面を目視して、３段階に官能評価した。評価基準は、貼り付き評価値１は「ほとんど貼り付かない状態」、貼り付き評価値２は「点状に貼り付く状態」、貼り付き評価値３は「全体的に貼り付く状態」を示す。評価値１では実用上全く問題がないが、評価値２および３では問題が生じる。
【００３２】
表１および図６によれば、表面粗さＲａが０．１μｍ、０．２μｍと小さい場合、および表面粗さＲａが６μｍ、７μｍと大きい場合には、いずれも、貼り付き評価値が３となって、電極部１の電極表面１ｂに全体的に生体組織の貼り付きが起こっている。
これに対して、表面粗さＲａが０．４μｍ、０．５μｍ、１μｍ、２μｍの場合には、貼り付き評価値が１となって、電極部１の電極表面１ｂにほとんど生体組織の貼り付きが起こらなかった。
そして、これらの中間の表面粗さＲａが０．３μｍ、３μｍ、４μｍ、５μｍの場合には、貼り付き評価値が２となって、電極部１の電極表面１ｂに生体組織が点状に貼り付きが起こった。
【００３３】
これらの結果から、電極表面１ｂの表面粗さＲａは、従来技術に開示されている知見よりもやや大きい０．４μｍ以上２μｍ以下の範囲が好適であることが分かる。このような表面粗さでは、生体組織の貼り付きがほとんど起こらないため、生体組織の貼り付きや固着による高周波ナイフ１０の処置性能の劣化を抑制することができる。
また、このような表面粗さを有する粗面は、例えばブラスト処理などによって、電極本体１Ａの電極本体表面１ａ上に容易に形成できるため、例えば、貴金属材料に非伝導性微粒子を混合してメッキ皮膜を形成するといった従来技術の構成に比べて簡素な構成であり、より容易に製造できるものとなっている。
【００３４】
以上に述べたように、本実施形態の高周波ナイフ１０によれば、電極表面１ｂの表面粗さＲａを、０．４μｍ以上２μｍ以下の範囲とすることで、生体組織の貼り付きや固着による処置性能の劣化を抑制することができる。
また、本実施形態では、電極本体１Ａの電極本体表面１ａ上に保護膜１Ｂが設けられているので、外力によって電極表面１ｂに傷が発生したり、電極部１の表面粗さが変化したりすることを抑制できる。また、万一、電極表面１ｂに生体組織が付着したり経時的に微量の生体組織の付着物が累積したりして表面の清掃が必要となった場合にも、清掃作業によって電極部１が傷つくおそれが少ないので、効率的に清掃を行うことができる。
【００３５】
なお、上記の説明では、医療機器用電極を医療用処置具の一例である高周波ナイフに用いた場合の例で説明したが、医療用処置具は、高周波ナイフには限定されない。例えば、バイポーラピンセット、プローブ、スネアなどの例を挙げることができる。
【符号の説明】
【００３６】
１  電極部（医療機器用電極）
１Ａ  電極本体
１Ｂ  保護膜
１ａ  電極本体表面
１ｂ  電極表面
３  高周波電源
６  対極板
１０  高周波ナイフ（医療用処置具）
１１  被処置体
１１ａ  被処置体表面
１１ｂ  被加熱領域
１１ｃ  被処置体本体
１１ｄ  炭化領域
【図１】
2010284439.tif 000004
【図２】
2010284439.tif 000005
【図３】
2010284439.tif 000006
【図４】
2010284439.tif 000007
【図５】
2010284439.tif 000008
【図６】
2010284439.tif 000009